(57)【要約】【課題】簡単な補修部材を用いて老朽化した雨水排水路の排水能力の回復を図ることができる。【解決手段】Ｕ字溝からなる開水路本体４を補修する際に用いられる雨水排水路の補修部材１であって、開水路本体４に固定される支持部材１０と、支持部材１０に装着され、開水路本体４の底部に配置される溝形状の排水受枠２０と、開水路本体４の周囲に降った雨水Ｗを排水受枠２０に案内する導水部材３０と、を備えた構成の補修部材を提供する。【選択図】図２
2018105023.tif 000002
【特許請求の範囲】
【請求項１】
Ｕ字溝からなる開水路本体を補修する際に用いられる雨水排水路の補修部材であって、
前記開水路本体に固定される支持部材と、
前記支持部材に装着され、前記開水路本体の底部に配置される溝形状の排水部材と、
前記開水路本体の周囲に降った雨水を前記排水部材に案内する導水部材と、
を備えたことを特徴とする雨水排水路の補修部材。
【請求項２】
前記支持部材は、前記開水路本体の底面に載置されていることを特徴とする請求項１に記載の雨水排水路の補修部材。
【請求項３】
前記支持部材と前記開水路本体との間には、前記支持部材の高さを調整するための高さ調整部材が介在されていることを特徴とする請求項２に記載の雨水排水路の補修部材。
【請求項４】
前記支持部材は、底壁と、該底壁の両端に連設される一対の側壁と、から形成され、
前記底壁は、幅方向に着脱自在に分割されていることを特徴とする請求項２又は３に記載の雨水排水路の補修部材。
【請求項５】
前記排水部材は、前記開水路本体に沿う長手方向に伸縮可能な伸縮継手を介して他の排水部材に接続されていることを特徴とする請求項１乃至４のいずれか１項に記載の雨水排水路の補修部材。
【請求項６】
前記支持部材、前記排水部材及び前記導水部材のうち少なくとも一部が合成樹脂により形成されていることを特徴とする請求項１乃至５のいずれか１項に記載の雨水排水路の補修部材。
【請求項７】
前記排水部材及び前記導水部材のうち少なくとも一方が耐光性を有する樹脂により形成されていることを特徴とする請求項１乃至６のいずれか１項に記載の雨水排水路の補修部材。
【請求項８】
Ｕ字溝からなる開水路本体を補修する際に用いられる雨水排水路の補修部材であって、
前記開水路本体の底部に配置される溝形状の排水部材と、
前記開水路本体の周囲に降った雨水を前記排水部材に案内する導水部材と、
を備え、
前記導水部材は、前記開水路本体に固定され、かつ前記排水部材を支持可能に設けられていることを特徴とする雨水排水路の補修部材。
【請求項９】
Ｕ字溝からなる開水路本体を補修する際に用いられる雨水排水路の補修部材であって、    
前記開水路本体に固定される支持部材と、
前記支持部材に装着され、前記開水路本体の底部に配置される溝形状の排水部材と、
を備え、
前記排水部材は、前記開水路本体の周囲に降った雨水を内部に案内するための導水機能を有していることを特徴とする雨水排水路の補修部材。
【請求項１０】
Ｕ字溝からなる開水路本体を補修する際に用いられる雨水排水路の補修部材であって、
前記開水路本体に固定される支持部と、
前記開水路本体の底部に配置される溝形状の排水部と、
前記開水路本体の周囲に降った雨水を前記排水部に案内する導水部と、を有することを特徴とする雨水排水路の補修部材。
【請求項１１】
請求項１乃至１０のいずれか１項に記載の補修部材を用いた雨水排水路の補修方法であって、
前記補修部材を前記開水路本体の底部に配置する工程と、
前記補修部材を前記開水路本体に支持する工程と、
を有することを特徴とする雨水排水路の補修方法。
【発明の詳細な説明】
【技術分野】
【０００１】
本発明は、雨水排水路の補修部材、及び補修方法に係り、特に法面における雨水を排水するのに好適なものに関する。
【背景技術】
【０００２】
従来、道路建設や宅地造成などに伴う切土や盛土により形成れる人工的な斜面である法面において、例えば特許文献１に示されるように、雨水から法面を保護するために雨水排水路が設けることが知られている。
【０００３】
上記特許文献１に示される雨水排水路では、法面の高さ方向をほぼ水平に区分する小段が設けられるとともに、その小段には上部開口の横方向排水溝が設けられ、さらに、その横方向排水溝に交差するように上部開口の縦方向排水溝が設けられている。したがって、横方向排水溝よりも上方に位置する法面に降り注いだ雨水はその横方向排水溝に受け入れられる。そして、その横方向排水溝に受け入れられた雨水は縦方向排水溝に導かれて法面の下方に位置する法尻に排出される。
【先行技術文献】
【特許文献】
【０００４】
【特許文献１】特開２０１６−１５６２７０号公報
【発明の概要】
【発明が解決しようとする課題】
【０００５】
しかしながら、上述した特許文献１に示される従来の雨水排水システムでは、いわゆる集中豪雨で極地的な大雨などの想定以上の雨が降った場合は、コンクリート製のＵ字溝からなる開水路本体における排水処理能力を超えて溢れてしまい、法面に雨水が浸透してしまうおそれがあった。また、開水路本体の老朽化に伴う処理能力の低下によっても、法面に雨水が浸透してしまうおそれがあった。
【０００６】
上述の問題点を解決するために、老朽化した開水路本体を撤去して新たな開水路本体に作り替えることが考えられる。しかしながら、新たな開水路本体に作り替える改修工事に際しては、開水路本体は鉄筋コンクリート製からなる重量物であるので、材料搬入や施工が難しいという新たな問題点が発生してしまう。
【０００７】
また、法面の開発当初には、工事用の道路を容易に作ることができて材料搬入や施工を容易に行うことが可能であるが、法面の完成後は、工事用の道路が撤去されていたり、雨水排水路の周囲に立木等が繁茂していたりして、工事用の道路を容易に確保できないといった問題があり、その点で改善の余地があった。
【０００８】
そこで、本発明は、上記問題点に鑑みてなされたもので、簡単な補修部材を用いて老朽化した雨水排水路の排水能力の回復を図ることができる雨水排水路の補修部材、及び補修方法を提供することを目的としている。
【課題を解決するための手段】
【０００９】
本発明に係る雨水排水路の補修部材は、上記目的を達成するために、Ｕ字溝からなる開水路本体を補修する際に用いられる雨水排水路の補修部材であって、前記開水路本体に固定される支持部材と、前記支持部材に装着され、前記開水路本体の底部に配置される溝形状の排水部材と、前記開水路本体の周囲に降った雨水を前記排水部材に案内する導水部材と、を備えたことを特徴としている。
【００１０】
本発明に係る雨水排水路の補修方法は、上記目的を達成するために、上述した補修部材を用いた雨水排水路の補修方法であって、前記補修部材を前記開水路本体の底部に配置する工程と、前記補修部材を前記開水路本体に支持する工程と、を有することを特徴としている。
【００１１】
本発明では、老朽化で排水能力の低下した開水路本体に支持部材を固定し、固定された支持部材に排水部材を装着するとともに、この排水部材に導水部材を設けるといった簡単な構造で、これら支持部材、排水部材、及び導水部材からなる補修部材を開水路本体に対して固定するといった簡単な施工方法により設置することができ、老朽化した雨水排水路の排水能力の回復を図ることができる。この場合には、開水路本体の周囲に降った雨水が導水部材により排水部材内に導水され、その雨水を排水部材に流通させることが可能となる。
つまり、老朽化した開水路本体内には十分な排水能力を有する排水部材が設置されることから、老朽化した開水路本体を排水用の流路として使用せずに済むという利点がある。
【００１２】
また、本発明に係る雨水排水路の補修部材は、前記支持部材は、前記開水路本体の底面に載置されていることが好ましい。
【００１３】
この場合には、排水部材が支持部材を介して開水路本体の底面に対して安定した状態で支持されるので、補修部材を長期にわたって維持することができる。
【００１４】
また、本発明に係る雨水排水路の補修部材は、前記支持部材と前記開水路本体との間には、前記支持部材の高さを調整するための高さ調整部材が介在されていることを特徴としてもよい。
【００１５】
本発明に係る補修部材では、高さ調整部材の厚さを適宜選択することにより支持部材の高さを適宜変更することができるため、支持部材に載置される排水部材の勾配を容易に調整することができる。
【００１６】
また、本発明に係る雨水排水路の補修部材は、前記支持部材は、底壁と、該底壁の両端に連設される一対の側壁と、から形成され、前記底壁は、幅方向に着脱自在に分割されていてもよい。
【００１７】
この場合には、幅方向に分割された支持部材同士の間隔を調整することができるので、排水部材の大きさに対応させて支持部材で支持することができる。
【００１８】
また、本発明に係る雨水排水路の補修部材は、前記排水部材は、前記開水路本体に沿う長手方向に伸縮可能な伸縮継手を介して他の排水部材に接続されていることを特徴としていてもよい。
【００１９】
このような構成とすることで、気温の変動に伴う熱伸縮により排水部材の長さに変動が生じた場合に、伸縮継手によって長さ方向の変動を吸収することができる。そのため、排水部材の熱伸縮に伴い破損や漏水を効果的に防止することができる。
【００２０】
また、本発明に係る雨水排水路の補修部材は、前記支持部材、前記排水部材及び前記導水部材のうち少なくとも一部が合成樹脂により形成されていることが好ましい。
【００２１】
本発明に係る補修部材は、合成樹脂製であるので、製造・加工性に優れ、また軽量で搬送や施工性に優れたものとすることができる。
【００２２】
また、本発明に係る雨水排水路の補修部材は、前記排水部材及び前記導水部材のうち少なくとも一方が耐光性を有する樹脂により形成されていることが好ましい。
【００２３】
本発明に係る補修部材では、排水部材及び導水部材のうち少なくとも一方が耐光性となることから、補修部材の長寿命化を図ることができる。
【００２４】
また、本発明に係る雨水排水路の補修部材は、Ｕ字溝からなる開水路本体を補修する際に用いられる雨水排水路の補修部材であって、前記開水路本体の底部に配置される溝形状の排水部材と、前記開水路本体の周囲に降った雨水を前記排水部材に案内する導水部材と、を備え、前記導水部材は、前記開水路本体に固定され、かつ前記排水部材を支持可能に設けられていることを特徴としている。
【００２５】
本発明に係る雨水排水路の補修部材では、老朽化で排水能力の低下した開水路本体の底部に排水部材を配置し、配置した排水部材に導水部材を支持し、その導水部材を開水路本体に固定するといった簡単な構造で、これら排水部材及び導水部材からなる補修部材を開水路本体に対して固定するといった簡単な施工方法により設置することができ、老朽化した雨水排水路の排水能力の回復を図ることができる。この場合には、導水部材によって、排水部材を支持することができるとともに、開水路本体の周囲に降った雨水を導水部材から排水部材内に導水することができる。つまり、老朽化した開水路本体内には十分な排水能力を有する排水部材が設置されることから、老朽化した開水路本体を排水用の流路として使用せずに済むという利点がある。
しかも、本発明では、補修部材に上述したような支持部材が不要となるので、部材数を低減できるとともに、補修部材を設置する作業が簡単になるという利点がある。
【００２６】
また、本発明に係る雨水排水路の補修部材は、Ｕ字溝からなる開水路本体を補修する際に用いられる雨水排水路の補修部材であって、前記開水路本体に固定される支持部材と、  前記支持部材に装着され、前記開水路本体の底部に配置される溝形状の排水部材と、を備え、前記排水部材は、前記開水路本体の周囲に降った雨水を内部に案内するための導水機能を有していることを特徴としている。
【００２７】
本発明に係る雨水排水路の補修部材では、老朽化で排水能力の低下した開水路本体に支持部材を固定し、固定された支持部材に排水部材を装着するといった簡単な構造で、これら支持部材及び排水部材からなる補修部材を開水路本体に対して固定するといった簡単な施工方法により設置することができ、老朽化した雨水排水路の排水能力の回復を図ることができる。この場合には、開水路本体の周囲に降った雨水を導水機能を有する導水部から排水部材内に導水することができる。つまり、老朽化した開水路本体内には十分な排水能力を有する排水部材が設置されることから、老朽化した開水路本体を排水用の流路として使用せずに済むという利点がある。
しかも、本発明では、補修部材に上述したような導水部材が不要となるので、部材数を低減できるとともに、補修部材を設置する作業が簡単になるという利点がある。
【００２８】
また、本発明に係る雨水排水路の補修部材は、Ｕ字溝からなる開水路本体を補修する際に用いられる雨水排水路の補修部材であって、前記開水路本体に固定される支持部と、前記開水路本体の底部に配置される溝形状の排水部と、前記開水路本体の周囲に降った雨水を前記排水部に案内する導水部と、を有することを特徴としている。
【００２９】
本発明に係る雨水排水路の補修部材では、老朽化で排水能力の低下した開水路本体に支持部を固定するといった簡単な構造で、これら支持部、排水部、及び導水部を有する補修部材を開水路本体に対して固定するといった簡単な施工方法により設置することができ、老朽化した雨水排水路の排水能力の回復を図ることができる。この場合には、開水路本体の周囲に降った雨水を導水部から排水部内に導水することができる。つまり、老朽化した開水路本体内には十分な排水能力を有する補修部材が設置されることから、老朽化した開水路本体を排水用の流路として使用せずに済むという利点がある。
しかも、本発明では、補修部材に上述したような支持部材や導水部材が不要となるので、部材数を低減できるとともに、補修部材を設置する作業が簡単になるという利点がある。
【発明の効果】
【００３０】
本発明の雨水排水路の補修部材、及び補修方法によれば、簡単な補修部材を用いて老朽化した雨水排水路の排水能力の回復を図ることができる。
【図面の簡単な説明】
【００３１】
【図１】本発明の第１の実施の形態による補修部材で補修された雨水排水路の断面図である。
【図２】図１に示す雨水排水路の拡大断面図である。
【図３】補修部材の構成を示す一部破断した斜視図である。
【図４】図３に示す補修部材の分解斜視図である。
【図５】補修部材のうちの排水部材及び接続継手の構成を示す分解斜視図である。
【図６】補修部材のうちの支持部材にスペーサを介在させたときの拡大断面図であって、図２に対応する図である。
【図７】第１の実施の形態の第１変形例による支持部材の構成を示す拡大断面図であって、図２に対応する図である。
【図８】第１の実施の形態の第２変形例による支持部材の構成を示す拡大断面図であって、図２に対応する図である。
【図９】第１の実施の形態の第３変形例による排水部材及び伸縮継手の構成を示す分解斜視図である。
【図１０】図９における伸縮継手部分の接続状態を示す縦断面図である。
【図１１】第１の実施の形態の第４変形例による導水部材の構成を示す拡大断面図であって、図２に対応する図である。
【図１２】第２の実施の形態による補修部材で補修された雨水排水路の拡大断面図である。
【図１３】図１２に示す雨水排水路の一部破断した斜視図である。
【図１４】第３の実施の形態による補修部材で補修された雨水排水路の拡大断面図である。
【図１５】図１４に示す雨水排水路の一部破断した斜視図である。
【図１６】第４の実施の形態による補修部材で補修された雨水排水路の拡大断面図である。
【図１７】図１６に示す雨水排水路の一部破断した斜視図である。
【発明を実施するための形態】
【００３２】
以下、本発明による実施の形態の雨水排水路の補修部材、及び補修方法について、図面に基づいて詳細に説明する。
【００３３】
（第１の実施の形態）
図１に示すように、本実施の形態による補修部材１は、鉄筋コンクリート製のＵ字溝からなる既設の開水路本体４を補修する際に用いられる。すなわち、本実施の形態の雨水排水路Ｕは、開水路本体４と、補修部材１と、を有する構成となっている。
補修部材１は、開水路本体４に固定される支持部材１０と、支持部材１０に装着され、開水路本体４の底面４ａに配置される溝形状の排水受枠２０（排水部材）と、開水路本体４の周囲に降った雨水を排水受枠２０に案内する導水部材３０と、を備えている。
図１及び図２に示される雨水排水路Ｕは、老朽化した開水路本体４がこれら補修部材１を用いて補修された状態を示している。
【００３４】
開水路本体４は、Ｕ字溝の開口側が上面を向くように設置され、法面Ｓの途中にほぼ水平状に設けられる小段Ｂに設置されている。この法面Ｓは、道路建設や宅地造成などに伴う切土や盛土により形成れる人工的な斜面である。図１の例では、小段Ｂは一つしか示されていないが、法面Ｓの高さが所定以上の場合は、法面Ｓの高さ方向を複数に区分するように複数の小段Ｂが設けられている。
【００３５】
本実施の形態の法面Ｓは、小段Ｂに流れてきた雨水が開水路本体４に受け入れられて横方向（水平方向）に流れ、集水桝（図示省略）を介してコンクリート製のＵ字溝からなる縦方向排水溝（図示省略）に流れ込むように構成されている。そして、その縦方向排水溝に流れ込んだ雨水は落下して、法尻において法尻排水と合流して排出される。
【００３６】
排水受枠２０は、図２乃至図４に示すように、底板２１と、一対の側板２２、２２とから断面コ字状に形成され、かつ一方向に延びた長尺な部材からなり、コ字状の開口端２２ａ側を上にした状態で開水路本体４の底部に支持部材１０を介して配置可能な幅寸法に形成されている。排水受枠２０の両開口端２２ａ、２２ａには、それぞれ幅方向の外側に突出する耳部２３が形成されている。
排水受枠２０の断面開口面積は、図２に示すように、開水路本体４の略下半分の断面開口面積よりも少し小さめの面積となっている。
【００３７】
排水受枠２０の長さは、運搬可能な適宜な長さ、例えば５ｍ以内、好ましくは２〜４ｍに決められている。そして、複数の排水受枠２０は、図５に示すように、接続継手２４を用いて接続されて開水路本体４の長さ方向に延長することができる。
【００３８】
接続継手２４は、図５に示されるように、排水受枠２０と同様の断面コ字状に形成されている。接続継手２４は、内面側において、長さ方向（排水受枠２０の長さ方向と同方向の長さ）の両側から排水受枠２０の一端部が嵌合可能な嵌合口２４ａが設けられている。
【００３９】
次に、支持部材１０は、図２に示されるように、所定幅の帯状体をほぼ開水路本体４の縦断面の内側、すなわち開水路本体４の底面４ａ及び両内側面４ｂに沿うように形成されている。つまり、支持部材１０の形状は、断面がコ字状をなし、開口部が上を向くように構成されている。
【００４０】
この支持部材１０の材質としては、ステンレス（ＳＵＳ）、メッキ鋼板、樹脂被覆鋼板などの金属とすることができる他に、塩化ビニル、ポリエチレン、ポリプロピレン、ＡＢＳ、ガラス繊維強化樹脂、炭素繊維強化樹脂、金属インサート樹脂、延伸ＰＥＴインサート樹脂などの合成樹脂製とすることができる。
また、排水受枠２０及び後述する導水部材３０も同様の材質とすることができる。なお、補修部材１を合成樹脂製とすることで、製造・加工性に優れ、また軽量で搬送や施工性に優れたものとすることができる。
また、これら材質のうち、耐光性の合成樹脂を採用することも可能であり、この場合には、補修部材の長寿命化を図ることができる。
【００４１】
支持部材１０は、図２乃至図４に示すように、底壁１１と、一対の側壁１２、１２と、排水受枠２０及び導水部材３０を係止する係止部１３と、を有している。
支持部材１０の底壁１１における幅方向の中央部分には、後述するアンカーボルト１４（図２参照）の頭部高さより少し深い凹部１１ａが形成されている。そして、凹部１１ａには、ボルト孔１１ｂが設けられている。このボルト孔１１ｂは、予め開水路本体４の底面４ａに打設されているアンカーボルト１４の軸部が貫通できる大きさに形成されている。したがって、底壁１１の凹部１１ａを、ボルト孔１１ｂをアンカーボルト１４に挿通させて開水路本体４の底面４ａに載置するとともに、アンカーボルト１４にナット１４ａを締め付けることにより、支持部材１０を開水路本体４の底面４ａに固定することができる（図１、図２参照）。
【００４２】
支持部材１０の一対の側壁１２の上端部には、それぞれ上述した係止部１３が形成されている。係止部１３は、段部１３ａ、排水受枠固定部１３ｂ及び導水部材固定部１３ｃを有している。
段部１３ａは、側壁１２の上端部から幅方向の外側に向けて屈曲するとともに、上方に向けて縦片１３ｄが立ち上がることにより形成されている。
【００４３】
排水受枠固定部１３ｂは、縦片１３ｄの内面のうち上下方向の中間部に設けられ、上向きに延びつつ内側に向けて湾曲したカール状（断面Ｃ字状）に形成されている。この排水受枠固定部１３ｂは、支持部材１０を開水路本体４に設置する際はカール状ではなく延びている状態（断面直線状）であってよく、排水受枠２０を設置した後に、手などで折り曲げて内側（底面４ａ側）に向けて湾曲したカール状に形成する。これにより、排水受枠２０を容易に設置できる。この場合、排水受枠固定部１３ｂは金属等の形状を保持する素材で作られていることが望ましい。そして、段部１３ａ、排水受枠固定部１３ｂ、及び縦片１３ｄによって形成される係止凹部に排水受枠２０に形成されている耳部２３が保持されるようになっている。すなわち、この排水受枠固定部１３ｂは、耳部２３を上方から抱え込むように構成されている。
【００４４】
導水部材固定部１３ｃは、導水部材３０を内側から固定するため固定部であって、縦片１３ｄの上部から外側に斜め下方に向けて突出するとともに、さらに突出端から縦片１３ｄ側に向けてく字状に屈曲した板バネをなし、幅方向の外側に付勢している。つまり、支持部材１０の係止部１３を上方から被着するように取り付けられる導水部材３０の内面が導水部材固定部１３ｃの付勢力によって押圧されることで、導水部材３０が支持部材１０に固定される（図１及び図２参照）。
【００４５】
このように支持部材１０は、図３及び図４に示すように、補修対象とされる開水路本体４の内側で、かつ開水路本体４の長さ方向に沿って所定の間隔をあけて配置され、図２に示すアンカーボルト１４を用いて開水路本体４に固定される。
【００４６】
なお、開水路本体４に取り付けられる支持部材１０の高さが不足するときは、図６に示されるように、支持部材１０の底壁１１と開水路本体４の底面４ａとの間にスペーサ１５（高さ調整部材）を介在させた後、アンカーボルト１４で固定するようにしてもよい。この場合には、スペーサ１５の厚さを適宜選択することにより支持部材１０の高さを容易に調整することができ、支持部材１０の底壁１１上に支持される排水受枠２０の勾配を容易に調整することができる。
【００４７】
導水部材３０は、図４に示されるように、排水受枠２０と同じ長さで延びるとともに、断面視で略逆Ｖ字状に形成され、排水受枠２０の一対の開口端２２ａのそれぞれに設けられる。導水部材３０は、鉛直板３１と、鉛直板３１の上端から斜め下方に延びる傾斜面を形成した水案内板３２と、を有している。鉛直板３１及び水案内板３２には、それぞれが対向する内側に向けて折り返しされた外側折返部３１ａ、内側折返部３２ａが形成されている。
【００４８】
導水部材３０は、排水受枠２０を支持した状態の支持部材１０の係止部１３に係止されることで、導水部材３０の水案内板３２の下端部分が排水受枠２０の枠内に位置するように取り付けられる。具体的には、排水受枠２０を複数の支持部材１０によって支持させた後に、支持部材１０の各側壁１２の上端部（係止部１３）に、上方から被着する。このとき、外側折返部３１ａが排水受枠固定部１３ｂに係止され、かつ内側折返部３２ａが導水部材固定部１３ｃの付勢に抗してこの導水部材固定部１３ｃを乗り越えて下向きに圧入され、導水部材固定部１３ｃに係止される。
そして、図２に示すように、支持部材１０に固定された導水部材３０の鉛直板３１は、導水部材固定部１３ｃの弾性力によって開水路本体４の内側面４ｂに当接した状態となる。
なお、図示しないが、接続継手２４（図５参照）においても、排水受枠２０と同様に導水部材３０が設けられる。
【００４９】
このように構成される導水部材３０は、支持部材１０及び排水受枠２０の上端部に装着されたとき、支持部材１０の上端部及び排水受枠２０の上端部を挟持するようにして接合するとともに、導水部材３０の外側が開水路本体４の側面に密着される。したがって、図１及び図２に示すように、法面Ｓに降り注いだ雨水Ｗは、雨水排水路Ｕに流れてくると、導水部材３０の水案内板３２に案内されて排水受枠２０内に流れ込むことができる。
【００５０】
次に、上述した雨水排水路の補修部材、及び補修方法の作用について図面を用いて詳細に説明する。
本実施の形態では、図２に示すように、老朽化で排水能力の低下した開水路本体４に支持部材１０を固定し、固定された支持部材１０に排水受枠２０を装着するとともに、この排水受枠２０に導水部材３０を設けるといった簡単な構造で、これら支持部材１０、排水受枠２０、及び導水部材３０からなる補修部材１を開水路本体４に対して固定するといった簡単な施工方法により設置することができ、老朽化した雨水排水路Ｕの排水能力の回復を図ることができる。
この場合には、開水路本体４の周囲に降った雨水Ｗが導水部材３０により排水受枠２０内に導水され、その雨水Ｗを排水受枠２０に流通させることが可能となる。つまり、老朽化した開水路本体４内には十分な排水能力を有する排水受枠２０が設置されることから、老朽化した開水路本体４を排水用の流路として使用せずに済むという利点がある。
【００５１】
また、本実施の形態では、支持部材１０の底壁１１が開水路本体４の底面４ａに載置され、排水受枠２０が支持部材１０を介して開水路本体４の底面４ａに対して安定した状態で支持されるので、補修部材１を長期にわたって維持することができる。
【００５２】
このように本実施の形態では、簡単な補修部材１を用いて老朽化した雨水排水路Ｕの排水能力の回復を図ることができる。
【００５３】
次に、本発明の雨水排水路の補修部材、及び補修方法による変形例、他の実施の形態について、添付図面に基づいて説明するが、上述の第１の実施の形態と同一又は同様な部材、部分には同一の符号を用いて説明を省略し、第１の実施の形態と異なる構成について説明する。
【００５４】
（第１変形例）
図７に示す第１変形例は、上述した第１の実施の形態とは他の例の支持部材１０Ａの構成である。支持部材１０Ａは、底壁１１の幅方向の中央部で２分割されている。そして、支持部材１０Ａの分割された各底壁１１Ａ、１１Ｂの凹部１１ａに相当する分割片１１ｄには、幅方向に長軸方向を向けた長孔１１ｃが設けられている。分割片１１ｄ、１１ｄは、アンカーボルト１４に長孔１１ｃを嵌挿させた状態で開水路本体４の底面４ａ上に配置され、そのアンカーボルト１４にナット１４ａを締め込むことで、分割されている支持部材１０Ａのそれぞれを開水路本体４に固定することができる。
そのため、排水受枠２０の幅寸法の間隔に合わせて、支持部材１０Ａの幅寸法を調整して排水受枠２０を支持することができる。とくに、排水受枠２０の幅寸法が例えば上述した第１の実施の形態よりも大きい場合に好適である。
【００５５】
（第２変形例）
図８に示すように、第２変形例による支持部材１０Ｂは、底壁１１の幅方向の中央部で分割されているとともに、分割された各底壁１１の分割片１１ｄ、１１ｄ同士が上下に重なるように形成されている。それぞれの分割片１１ｄには、幅方向に長軸方向を向けた長孔１１ｃが設けられている。分割片１１ｄ、１１ｄは、互いに上下に重ねた状態でアンカーボルト１４にそれぞれ長孔１１ｃを嵌挿させた状態で開水路本体４の底面４ａ上に配置され、そのアンカーボルト１４にナット１４ａを締め込むことで、分割されている支持部材１０Ｂのそれぞれを開水路本体４に固定することができる。
この場合も、排水受枠２０の幅寸法の間隔に合わせて、支持部材１０Ｂの幅寸法を調整して排水受枠２０を支持することができる。とくに、排水受枠２０の幅寸法が例えば上述した第１の実施の形態よりも小さい場合に好適に好適である。
【００５６】
（第３変形例）
図９及び図１０に示す第３変形例では、上述した第１の実施の形態において排水受枠２０で用いられる接続継手２４（図５参照）に代えて、伸縮継手２５を設けた構成となっている。伸縮継手２５は、排水受枠２０の長手方向に伸縮自在に設けられている。
伸縮継手２５は、長さ方向（排水受枠２０の長さ方向と同方向の長さ）の両側には、排水受枠２０の一端部が所定量で挿入できる挿入口２５ａ、２５ｂをそれぞれ有している。そして、伸縮継手２５は、一方の第１挿入口２５ａに連設される第１本体部２５Ａと、他方の第２挿入口２５ｂに連設される第２本体部２５Ｂとの一部が摺動自在に重なり合って構成された伸縮部２５Ｃを有している。
なお、図示しないが、伸縮継手２５においても、排水受枠２０と同様に導水部材３０が設けられる。
【００５７】
上記構成からなる第３変形例による伸縮継手２５を備えた排水受枠２０は、図１０に示すように、気温の変動に伴う熱伸縮により排水受枠２０の長さに変動が生じた場合に、伸縮継手２５の伸縮部２５Ｃが長さ方向に摺動することで前記長さ方向の変動を吸収することができる。そのため、排水受枠２０の熱伸縮に伴い破損や漏水を効果的に防止することができる。
【００５８】
（第４変形例）
図１１に示す第４変形例では、上述した第１の実施の形態とは別の形態の導水部材３０Ａを用いた構成となっている。すなわち、導水部材３０Ａは、上述した第１の実施の形態の導水部材３０における外側折返部３１ａ及び内側折返部３２ａ（図２参照）が省略されている。
この場合には、導水部材３０Ａの鉛直板３１及び水案内板３２の下端部分に折り返し加工を施すことなく製造することが可能となるので、より安価に、かつ容易に製造することができる。
【００５９】
（第２の実施の形態）
次に、第２の実施の形態による雨水排水路の補修部材１Ａ、及び補修方法について、図１２及び図１３を用いて説明する。
本実施の形態の補修部材１Ａは、上述した第１の実施の形態において開水路本体４の底面４ａ上に固定される支持部材１０（図２参照）を省略した構成となっている。すなわち補修部材１Ａは、開水路本体４の底面４ａに配置される溝形状の排水受枠２０（排水部材）と、開水路本体４の周囲に降った雨水Ｗを排水受枠２０に案内する導水部材３０Ｂと、を備えている。
【００６０】
導水部材３０Ｂは、水案内板３２と、開水路本体４に固定される固定片３３と、排水受枠２０を支持する支持部３４と、を備えている。
固定片３３は、水案内板３２の上端から幅方向の外側に向けて延びて形成されている。固定片３３には、長手方向に所定の間隔をあけて複数のボルト孔３３ａが設けられている。
支持部３４は、水案内板３２の下端から幅方向の外側に張り出した状態で設けられ、水案内板３２の下端から上方に折り返され、その先端部に排水受枠２０の耳部２３を上方から押さえる当接壁３４ａが形成され、さらに当接壁３４ａの先端から下方に延びる垂下片３４ｂが形成されている。つまり、排水受枠２０の耳部２３は、支持部３４によって上方から抱え込まれた状態で支持されている。
【００６１】
第２の実施の形態による雨水排水路Ｕでは、開水路本体４の底面４ａ上に排水受枠２０を載置した後、その排水受枠２０の一対の耳部２３、２３のそれぞれに導水部材３０Ｂの支持部３４で下向きに押さえた状態で配置する。そして、固定片３３、３３は、予め開水路本体４の上端に打設されているアンカーボルト１４にボルト孔３３ａを嵌挿させた状態で開水路本体４の上端に配置され、そのアンカーボルト１４にナット１４ａを締め込むことで、導水部材３０Ｂを開水路本体４に固定することができる。
【００６２】
本第２の実施の形態による補修部材１Ａでは、導水部材３０Ｂによって、排水受枠２０を支持することができるとともに、開水路本体４の周囲に降った雨水Ｗを水案内板３２から排水受枠２０内に導水することができる。
しかも、第２の実施の形態による雨水排水路Ｕでは、補修部材１Ａに上述した第１の実施の形態のように支持部材１０が不要となるので、部材数を低減できるとともに、補修部材１Ａを設置する作業が簡単になるという利点がある。
【００６３】
（第３の実施の形態）
次に、第３の実施の形態による雨水排水路の補修部材１Ｂ、及び補修方法について、図１４及び図１５を用いて説明する。
本実施の形態の補修部材１Ｂは、上述した第１の実施の形態における導水部材３０（図２参照）を省略した構成となっている。すなわち補修部材１Ｂは、開水路本体４の底面４ａに固定される支持部材１０Ｃと、開水路本体４の底部に配置される溝形状の排水受枠２０Ａ（排水部材）と、を備えている。
【００６４】
排水受枠２０Ａは、底板２１と、一対の側板２２、２２と、各側板２２の上端に連設され開水路本体４の周囲に降った雨水Ｗを内部に案内するための導水部２６（導水機構）と、を有している。すなわち、一対の導水部２６は、側板２２に対して一体に設けられ、側板２２の上端から上方に向かうに従い漸次、幅方向の外側となる水案内面を有している。導水部２６の上端２６ａは、開水路本体４の内側面４ｂに当接した状態で配置されている。なお、導水部２６の上端２６ａの位置は、図１４において開水路本体４の内側面４ｂの上端部近傍とされているが、開水路本体４の上端に一致する位置であってもかまわない。
【００６５】
また、本実施の形態の支持部材１０Ｃの係止部１３は、排水受枠２０Ａの耳部２３に対応する位置に、幅方向の内側に開口する凹部が形成された排水受枠固定部１３ｂのみが設けられている。
【００６６】
本第３の実施の形態による補修部材１Ｂでは、開水路本体４の周囲に降った雨水Ｗを導水部２６から排水受枠２０内に導水することができる。
しかも、第３の実施の形態による雨水排水路Ｕでは、補修部材１Ｂに上述した第１の実施の形態のような導水部材３０が不要となるので、部材数を低減できるとともに、補修部材１Ｂを設置する作業が簡単になるという利点がある。
【００６７】
（第４の実施の形態）
次に、第４の実施の形態による雨水排水路の補修部材１Ｃ、及び補修方法について、図１６及び図１７を用いて説明する。
本実施の形態の補修部材１Ｃは、上述した第３の実施の形態において、支持部材１０を省略した構成であって、排水受枠２０Ｂが開水路本体４に対して固定する支持機能と、排水受枠２０Ｂ内に開水路本体４の周囲に降った雨水Ｗを内部に案内するための導水機能と、を一体的に備えた構成となっている。すなわち、補修部材１Ｃは、開水路本体４に固定される支持部２９と、開水路本体４の底面４ａに配置される溝形状の排水部２７と、開水路本体４の周囲に降った雨水Ｗを排水部２７に案内する導水部２８と、を有する。
【００６８】
導水部２８は、排水部２７に対して一体に設けられ、排水部２７の側板２７ａの上端から上方に向かうに従い漸次、幅方向の外側となる水案内面を形成している。
支持部２９は、導水部２８の上端から幅方向の外側に向けて延びて形成されている。支持部２９には、長手方向に所定の間隔をあけて複数のボルト孔２９ａが設けられている。なお、図１６及び図１７において、排水部２７の一対の側板２７ａ、２７ａに耳部２３が設けられているが、本実施の形態の場合には、この耳部２３を省略することも可能である。
【００６９】
第４の実施の形態による雨水排水路Ｕの補修方法は、開水路本体４の底面４ａ上に補修部材１Ｃを排水部２７で載置する。そして、支持部２９、２９は、予め開水路本体４の上端に打設されているアンカーボルト１４にボルト孔２９ａを嵌挿させた状態で開水路本体４の上端に配置され、そのアンカーボルト１４にナット１４ａを締め込むことで、排水受枠２０Ｂを開水路本体４に固定することができる。
【００７０】
本第４の実施の形態による補修部材１Ｃでは、開水路本体４の周囲に降った雨水Ｗを導水部２８から排水部２７内に導水することができる。
しかも、第４の実施の形態による雨水排水路Ｕでは、補修部材１Ｃに上述した第１の実施の形態のような支持部材１０や導水部材３０が不要となるので、部材数を低減できるとともに、補修部材１Ｃを設置する作業が簡単になるという利点がある。
【００７１】
以上、本発明による雨水排水路の補修部材、及び補修方法の実施の形態について説明したが、本発明は上記の実施の形態に限定されるものではなく、その趣旨を逸脱しない範囲で適宜変更可能である。
例えば、上述した実施の形態では、補修部材で補修する開水路本体４として、法面Ｓの小段Ｂに設けられる横方向排水溝を対象としているが、法面Ｓに設けられる縦方向排水溝にとしてもよい。
また、本実施の形態では、法面Ｓの開水路本体４の補修としているが、法面であることに制限されることはない。要は、開口側が上面を向くように設置されている開水路であれば適用することができる。
【００７２】
また、上述の実施の形態では、開水路本体が老朽化した既設のものとしたが、新設又は老朽化の進んでいない開水路本体に上述した補修部材を予め設置し、開水路本体の寿命を延ばす際にも適用するようにしてもよい。この場合は、補修部材は補強部材として機能することとなるが、本発明では、この補強部材も補修部材に含まれる。
【００７３】
また、補修部材（支持部材、排水部材、導水部材）の形状、大きさ、材質、数量等の構成は、上述した実施の形態に限定されることはなく、補修する開水路本体の形状、断面形状、排水流量等の条件に応じて適宜設定することができる。
【００７４】
また、本発明の趣旨を逸脱しない範囲で、上記した実施の形態における構成要素を周知の構成要素に置き換えることは適宜可能である。
【符号の説明】
【００７５】
１、１Ａ〜１Ｃ  補修部材
４  開水路本体
４ａ  底面
４ｂ  内側面
１０、１０Ａ，１０Ｂ，１０Ｃ  支持部材
１１  底壁
１１ｂ  ボルト孔
１１ｃ  長孔
１２  側壁
１３  係止部
１３ａ  段部
１３ｂ  排水受枠固定部
１３ｃ  導水部材固定部
１４  アンカーボルト
１５  スペーサ（高さ調整部材）
２０  排水受枠（排水部材）
２３  耳部
２４  接続継手
２５  伸縮継手
２６、２８  導水部
２７  排水部
２９  支持部
３０  導水部材
３２  水案内板
３３  固定片
３４  支持部
Ｓ  法面
Ｂ  小段
Ｕ  雨水排水路
Ｗ  雨水
【図１】
2018105023.tif 000003
【図２】
2018105023.tif 000004
【図３】
2018105023.tif 000005
【図４】
2018105023.tif 000006
【図５】
2018105023.tif 000007
【図６】
2018105023.tif 000008
【図７】
2018105023.tif 000009
【図８】
2018105023.tif 000010
【図９】
2018105023.tif 000011
【図１０】
2018105023.tif 000012
【図１１】
2018105023.tif 000013
【図１２】
2018105023.tif 000014
【図１３】
2018105023.tif 000015
【図１４】
2018105023.tif 000016
【図１５】
2018105023.tif 000017
【図１６】
2018105023.tif 000018
【図１７】
2018105023.tif 000019